(57)【要約】      （修正有）【課題】収納する際の省スペースが図れ、安全性に優れ、安全性の高いプレイジムを提供する。【解決手段】水平部材の両端部に設けられたの第１ヒンジ部および第２ヒンジ部に、水平部材の長手方向に曲げ可能な第１ヘッダ部および第２ヘッダ部を設け、第１ヘッダ部に第１、第２脚部材を水平部材の幅方向に曲げ可能に接合して第１脚ユニットを構成し、第２ヘッダ部に第３、第４脚部材を水平部材の幅方向に曲げ可能に接合して第２脚ユニットを構成する。第１脚部材〜第４脚部材の中間点に第１連結部〜第４連結部を設け、第１連結部〜第４連結部を支点として第１連結棒〜第４連結棒を曲げ可能に接続し、第１連結棒と第２連結棒とが第１ジョイント部により曲げ可能に連結し、第３連結棒と第４連結棒とを第２ジョイント部により曲げ可能に連結し、第１脚ユニットおよび第２脚ユニットを水平部材の長手方向の内側方向に折り畳んで収納形態とする。【選択図】  図７
2004236768.tif 000002
【特許請求の範囲】
【請求項１】
設置面と水平な一定高さに支持される水平部材の両端部に設けられた第１ヒンジ部および第２ヒンジ部に、前記水平部材の略長手方向に曲げ可能な第１ヘッダー部および第２ヘッダー部を設け、この第１ヘッダー部に第１脚部材および第２脚部材を前記水平部材の幅方向に曲げ可能に接合して第１脚ユニットを構成するとともに、第２ヘッダー部に第３脚部材および第４脚部材を前記水平部材の幅方向に曲げ可能に接合して第２脚ユニットを構成し、前記第１脚部材〜第４脚部材のそれぞれの中間点に第１連結部〜第４連結部をそれぞれ設け、この第１連結部〜第４連結部を支点として第１連結棒〜第４連結棒を曲げ可能に接続し、前記第１連結棒と前記第２連結棒とが第１ジョイント部により曲げ可能に連結され、前記第３連結棒と前記第４連結棒とが第２ジョイント部により曲げ可能に連結され、前記第１および第２ジョイント部を可動させることにより、前記第１脚部材と前記第２脚部材とを近接させるとともに、前記第３脚部材と前記第４脚部材とを近接させて、前記第１脚ユニットおよび前記第２脚ユニットを前記水平部材の略長手方向の内側方向に折り畳んで収納形態とすることを特徴とするプレイジム。
【請求項２】
前記第１ジョイント部および第２ジョイント部の可動方向が前記プレイジムの設置時における上方向であり、前記第１ジョイント部および第２ジョイント部を下面側から押圧して前記第１連結棒と前記第２連結棒とが逆Ｖ字形状をなすように変形させるとともに、前記第３連結棒と前記第４連結棒とが逆Ｖ字状をなすように変形させ、前記第１脚ユニットおよび前記第２脚ユニットを変形させることを特徴とする請求項１記載のプレイジム。
【請求項３】
前記第１脚ユニットおよび前記第２脚ユニットを前記水平部材の略長手方向の内側方向に折り畳んでプレイジムを前記収納形態とした際に、前記第２脚部材が前記第３脚部材と前記第４脚部材との間隙に格納され、前記第３脚部材が前記第１脚部材と第２脚部材との間隙に格納されることを特徴とする請求項１記載のプレイジム。
【請求項４】
前記第３脚部材と前記第４脚部材と前記第３連結棒と前記第４連結棒とで構成される空間に前記第２連結棒が挿通されて前記収納形態となることを特徴とする請求項４記載のプレイジム。
【請求項５】
前記第１連結棒と前記第２連結棒とで構成される空間に前記第３連結棒が配置されて前記収納形態となることを特徴とする請求項４記載のプレイジム。
【発明の詳細な説明】
【０００１】
【発明の属する技術分野】
本発明は、乳幼児の育児器具として使用するプレイジムに係り、特に収納形態とするための折り畳み機構を備えたプレイジムに関する。
【０００２】
【従来の技術】
乳幼児の育児器具としてのプレイジムは、玩具を吊り下げる複数のフックが設けられた水平部材と、この水平部材を所定高さに水平保持する一対の脚ユニットとが一体に設けられて構成される。
【０００３】
プレイジムは、伏臥体勢の乳幼児の上方に水平部材が配置されるように設置され、水平部材に吊り下げられた玩具を乳幼児が触るなどして遊ぶように使用される。この玩具としては、例えば人形等のマスコットや、音を出す機構を備えたもの、ミラーを設置したもの等が好適に使用される。
【０００４】
また、幼児がつかまり立ちするようなると、プレイジムは幼児の補助器具として、つかまり立ちを補助する機能を有する。こうした使用目的を有するプレイジムには、特に脚ユニットの安定性が要求されている。
【０００５】
プレイジムとしては、従来下記のような製品が製造されている。
【０００６】
例えば、プレイジムの脚ユニットの脚幅を変更可能な構成として、設置の自由度を向上させたプレイジムがある（特許文献１参照）。
【０００７】
また、プレイジムの脚ユニット（脚フレーム）に回動機構を設け、脚ユニットを折り畳み可能とすることにより、収納スペースを削減するものがある（特許文献２参照）。
【０００８】
【特許文献１】
特開平９−２９９６２０号公報（段落番号［０００９］〜［００１７］）
【０００９】
【特許文献２】
特開平１０−１９２５６０号公報（段落番号［０００７］〜［００１３］）
【００１０】
【発明が解決しようとする課題】
従来のプレイジムは、約１０個の構成部品から構成されており、通常使用者が組み立ててプレイジムを完成させて使用する。
【００１１】
しかしながら、プレイジムは一般的に使用時の安定性や安全性を考慮して、使用中に構成部品が分解することを防止するために、構成部品のジョイント部分が強固に接合されている。そのため、従来のプレイジムは、構成部品の組み立ておよび分解が容易なものとは言えなかった。
【００１２】
そのため、プレイジムは普通、前記特許文献２に示されたように、収納する際には、構成部品を分解せずに、折り畳み構造を設けることにより、プレイジムをコンパクトな収納形態として収納するための折り畳み機構が採用されている。
【００１３】
しかしながら、前記特許文献２のように脚ユニットに回動する折り畳み機構を設けた従来のプレイジムでも、収納時において依然多くの収納スペースが必要とされており、収納スペースを節約するという目的を十分に満足していなかった。
【００１４】
また、プレイジムの脚ユニットは、プレイジムを設置する時の安定性を考慮して、所定の脚部材間隔を確保するように構成されるものであるため、この脚ユニットの脚幅がプレイジムの収納スペースを省略する上で解決すべき課題となっていた。
【００１５】
また、上記特許文献２に示されたような折り畳み機構を有するプレイジムは、脚ユニットを折り畳むことにより、プレイジムの収納形態における安定性が低下するので、収納形態にして立て掛けておいたプレイジムが転倒することも予想される。従って、安全面を考慮すると、プレイジムの収納形態における安定性を改善する必要があった。
【００１６】
さらに、従来のプレイジムは、持ち運びの利便性に乏しく、汎用性の高い育児器具としての利用価値が低かった。
【００１７】
本発明は、上述した事情を考慮してなされたもので、収納する際の省スペースが図れ、また、収納形態においても安定性に優れ、安全性が高く、持ち運びにも便利なプレイジムを提供することを目的とする。
【００１８】
【課題を解決するための手段】
本発明に係るプレイジムは、上述した事情を解決するために、設置面と水平な一定高さに支持される水平部材の両端部に設けられた第１ヒンジ部および第２ヒンジ部に、前記水平部材の略長手方向に曲げ可能な第１ヘッダー部および第２ヘッダー部を設け、この第１ヘッダー部に第１脚部材および第２脚部材を前記水平部材の幅方向に曲げ可能に接合して第１脚ユニットを構成するとともに、第２ヘッダー部に第３脚部材および第４脚部材を前記水平部材の幅方向に曲げ可能に接合して第２脚ユニットを構成し、前記第１脚部材〜第４脚部材のそれぞれの中間点に第１連結部〜第４連結部をそれぞれ設け、この第１連結部〜第４連結部を支点として第１連結棒〜第４連結棒を曲げ可能に接続し、前記第１連結棒と前記第２連結棒とが第１ジョイント部により曲げ可能に連結され、前記第３連結棒と前記第４連結棒とが第２ジョイント部により曲げ可能に連結され、前記第１および第２ジョイント部を可動させることにより、前記第１脚部材と前記第２脚部材とを近接させるとともに、前記第３脚部材と前記第４脚部材とを近接させて、前記第１脚ユニットおよび前記第２脚ユニットを前記水平部材の略長手方向の内側方向に折り畳んで収納形態とすることを特徴とするものである。
【００１９】
また、本発明に係るプレイジムは、前記第１ジョイント部および第２ジョイント部の可動方向が前記プレイジムの設置時における上方向であり、前記第１ジョイント部および第２ジョイント部を下面側から押圧して前記第１連結棒と前記第２連結棒とが逆Ｖ字形状をなすように変形させるとともに、前記第３連結棒と前記第４連結棒とが逆Ｖ字状をなすように変形させ、前記第１脚ユニットおよび前記第２脚ユニットを変形させることを特徴とするものである。
【００２０】
さらに、本発明に係るプレイジムは、前記第１脚ユニットおよび前記第２脚ユニットを前記水平部材の略長手方向の内側方向に折り畳んでプレイジムを前記収納形態とした際に、前記第２脚部材が前記第３脚部材と前記第４脚部材との間隙に格納され、前記第３脚部材が前記第１脚部材と第２脚部材との間隙に格納されることを特徴とするものである。
【００２１】
また、本発明に係るプレイジムは、前記第３脚部材と前記第４脚部材と前記第３連結棒と前記第４連結棒とで構成される空間に前記第２連結棒が挿通されて前記収納形態となることを特徴とするものである。
【００２２】
さらに、本発明に係るプレイジムは、前記第１連結棒と前記第２連結棒とで構成される空間に前記第３連結棒が配置されて前記収納形態となることを特徴とするものである。
【００２３】
【発明の実施の形態】
本発明に係るプレイジムの好ましい実施の形態について、添付図を参照して以下に詳細に説明する。
【００２４】
図１に本発明に係るプレイジムの第１の実施形態であるプレイジム１０の正面図を示す。このプレイジム１０は、水平部材１が対を成す脚ユニット２（第１脚ユニット）および脚ユニット３（第２脚ユニット）により所定高さに水平保持されて構成される。
【００２５】
水平部材１は、脚ユニット２および脚ユニット３により支持される樹脂製の一体成形部材で、水平部材１の長手方向には所定間隔でフック１ａが設けられており、このフック１ａに玩具１ｂが吊り下げられる。
【００２６】
玩具１ｂはホルダー１ｃによりフック１ａに吊下げられる。ホルダー１ｃは、例えばビニル樹脂等の弾力性のある素材で構成され、フック１ａへの取り外し及び取り付けが容易で、長さの調整が可能である。
【００２７】
玩具１ｂとしては、例えば、人形や動物型のマスコットや、音の出る機構を備えた器具や、ミラーを装着した器具等が好適に選択される。こうした玩具１ｂは、任意に選択可能な選択式としてよい。これらの玩具１ｂは、乳幼児の興味を喚起し、これらの玩具１ｂに触れて遊ぶことにより、乳幼児の心身の発育が促進される。
【００２８】
図２以降に各構成部品を示し、構成部品の構造について具体的に説明する。
【００２９】
図２に水平部材１の正面図を示す。
【００３０】
水平部材１の、フック１ａを設けた棒材の両端部には、一体成形により第１ヒンジ部であるヒンジ部４および第２ヒンジ部であるヒンジ部５が設けられる。このヒンジ部４およびヒンジ部５は、水平部材１と脚ユニット２および脚ユニット３とを接合する接合部であり、脚ユニット２および脚ユニット３が水平部材１の長手方向の内側方向に一定の可動範囲で曲げ可能なように構成される。すなわち、水平部材１と脚ユニット２と脚ユニット３とは、このヒンジ部４およびヒンジ部５を介して一体に接合されてプレイジム１０が構成される。
【００３１】
プレイジム１０を収納する際には、このヒンジ部４およびヒンジ部５を支点として、脚ユニット２および脚ユニット３をプレイジム１０の内側に折り畳むことにより、プレイジム１０をコンパクトな収納形態とする。
【００３２】
水平部材１、脚ユニット２および脚ユニット３を構成する材料は、強度および安全性に優れた樹脂製とすることが好ましく、特にポリプロピレン樹脂は、強度および安全性に優れており、軽量で丈夫であるため、水平部材１、脚ユニット２および脚ユニット３の材料として好ましい。
【００３３】
図３および図４に脚ユニット２および脚ユニット３の側面図をそれぞれ示す。
【００３４】
脚ユニット２および脚ユニット３は、水平部材１の両端部に設けられたヒンジ部４およびヒンジ部５にそれぞれ可動自在に接合されるヘッダー部６（第１ヘッダー部）およびヘッダー部７（第２ヘッダー部）に、棒材である脚部材８、脚部材９、脚部材１１および脚部材１２（第１脚部材〜第４脚部材）の一端（上端部）がヘッダー部６およびヘッダー部７にそれぞれ２本ずつ接続されて構成される。
【００３５】
ヘッダー部６とヒンジ部４との接合部６ａは、脚ユニット２がヒンジ部４を支点として水平部材１の略長手方向に曲げ可能なように構成される。また、ヘッダー部７とヒンジ部５との接合部７ａも同様な構造を有し、脚ユニット３が水平部材１の略長手方向に曲げ可能な構成とされる。
【００３６】
ヘッダー部６と脚部材８および脚部材９との接合部は、脚部材８と脚部材９とが接近する方向、すなわち水平部材１の幅方向の内側方向に向けて一定の可動範囲で曲げ可能なように構成される。また、脚部材１１および脚部材１２とヘッダー部７との接合部分についても同様の構造を備え、脚部材１１と脚部材１２とが水平部材１の幅方向の内側方向に向けて一定の可動範囲で曲げ可能なように構成される。
【００３７】
脚部材８、脚部材９、脚部材１１および脚部材１２の設置面側の先端部には、軟質樹脂製のキャップ１３が装着されて、プレイジム１０と設置面との摩擦力が向上し、プレイジム１０の安定性が改善される。また、キャップ１３は、設置面との摩擦による消音効果も備える。
【００３８】
脚部材８と脚部材９とは、上記した曲げ操作の際に、脚部材８と脚部材９とが連動して作動するように連結される。また、脚部材１１と脚部材１２も同様に連動して作動するように連結される。すなわち、脚部材８および脚部材９のヘッダー部６に接合する一端と、キャップ１３を装着した一端との中間点には、それぞれ連結部１５および連結部１６（第１連結部および第２連結部）が設けられ、この連結部１５および連結部１６に、連結部１５および連結部１６を支点として可動自在な連結棒１７および連結棒１８（第１連結棒および第２連結棒）がそれぞれ接続される。そして、連結棒１７と連結棒１８とは、ジョイント部１９（第１ジョイント部）により連結され、このジョイント部１９に作用力を受けることにより連結棒１７と連結棒１８とが可動自在なように接続される。
【００３９】
また、脚部材１１と脚部材１２にも同様に連結部２１および連結部２２（第３連結部および第４連結部）がそれぞれ設けられ、この連結部２１および連結部２２に連結棒２３および連結棒２４（第３連結棒および第４連結棒）が連結部２１および連結部２２を支点として可動自在なようにそれぞれ接続され、連結棒２３および連結棒２４がジョイント部２５（第２ジョイント部）により可動自在に連結される。
【００４０】
ジョイント部１９およびジョイント部２５は、幼児がプレイジム１０のジョイント部１９およびジョイント部２５を誤作動させて、プレイジム１０が誤って収納形態とされることを防止するための工夫が講じられる。すなわち、ジョイント部１９を例として説明すると、ジョイント部１９は、ジョイント部１９の下側を上方向に押圧して押し上げることによって上方向に曲がり、連結棒１７および連結棒１８が逆Ｖ字状となって脚部材８および脚部材９が近接するように折り畳まれ、プレイジム１０をコンパクトな収納形態とするように構成される。ジョイント部２５についても同様な構成とされ、ジョイント部２５を下側から押圧することにより、脚部材１１と脚部材１２とが近接して脚ユニット３が折り畳まれる。
【００４１】
ジョイント部１９およびジョイント部２５の可動方向を下向きにすると、例えば、力の小さな幼児でも、ジョイント部１９およびジョイント部２５に体重を掛けてジョイント部１９およびジョイント部２５を誤作動させることが容易となる。従って、ジョイント部１９およびジョイント部２５の操作方向を上方向への押し上げ操作とすることにより、幼児によるジョイント部１９およびジョイント部２５の誤作動を確実に防止する。
【００４２】
また、ジョイント部１９およびジョイント部２５は、脚ユニット２および脚ユニット３のロック機構としても機能する。すなわち、ジョイント部１９には図示しないストッパ機構が設けられており、ジョイント部１９に下向きの力を付与すると、連結棒１７と連結棒１８とが一直線状となって固定されるように構成される。このストッパ機構を設けることにより、連結棒１７と連結棒１８とは、一体的な強度部材となって、プレイジム１０の使用時において脚部材８および脚部材９とを一定の脚幅に安定的に固定する、脚ユニット２のブレース材として機能する。また、ストッパ機構を設けることにより連結棒１７と連結棒１８とは、一定以上の力でジョイント部１９の下側から押圧しない限り曲げられることがないため、プレイジム１０の安全性がさらに向上される。
【００４３】
ジョイント部２５も同様のストッパ機構が設けられており、連結棒２３と連結棒２４とが一体的な強度部材となって、脚ユニット３のブレース材として機能する。
【００４４】
なお、ジョイント部１９およびジョイント部２５の上側形状は、連結棒１７と連結棒１８とをよりコンパクトに曲げ可能とするために、また、安全性を考慮して緩やかな曲面形状とされており、凹部１９ａおよび凹部２５ａが設けられる。この凹部１９ａおよび凹部２５ａにマスコット等の玩具を吊り下げても良い。
【００４５】
凹部１９ａおよび凹部２５ａに吊下げるマスコットの一例として、図５にマスコット３０の表面側の斜視図を示し、図６にマスコット３０の裏面側の斜視図を示す。このマスコット３０は、環状の器具をホルダー３１に挿通して２連とし、音を出したり、回転させる等して使用するものである。
【００４６】
ジョイント部１９およびジョイント部２５に吊下げるマスコットは、取り外しの容易な構造とすることが好ましい。マスコット３０は、ジョイント部１９およびジョイント部２５に吊下げるためのホルダー３１を備えている。このホルダー３１は、ホルダー３１の一端に設けられたリング３２に、他端のフック３３を挿通させ、フック３３の上端部３３ａがリング３２の縁部３２ａに係合することにより、ホルダー部３１を係合状態としてマスコット３０をジョイント部１９およびジョイント部２５に吊り下げる。
【００４７】
このホルダー３１は、簡易な構造であり、吊下げ部材として十分な強度と良好な係合力を有するとともに、取り外しが容易な構造である。このように取り付けおよび取り外し容易なホルダー部３１を設けたマスコット３０を使用することにより、連結棒１７、連結棒１８、連結棒２３、連結棒２４に曲げ機能と強度部材機能とを保持させつつ、ジョイント部１９およびジョイント２５にマスコットホルダーとしての機能を付与することが可能である。
【００４８】
上記構成を備えた水平部材１と脚ユニット２と脚ユニット３を一体に接合し、図７の斜視図に示すようなプレイジム１０が構成される。
【００４９】
次に、図８〜図１０を参照して、プレイジム１０を収納する際の動作および収納形態について説明する。
【００５０】
ジョイント部１９を下側から上方向（図８に矢印ｘで示す方向）に押圧すると、連結棒１７よび連結棒１８が逆Ｖ字形状をなすように曲げられて、脚部材８と脚部材９とが近接するように脚ユニット２を変形させる（矢印ｙ方向）。脚ユニット３についても同様にジョイント部２５を下側から上方向に押圧して、脚ユニット３を変形させる（図８）。
【００５１】
脚部材８と脚部材９とを近接させた後、ヒンジ部６を可動させて脚ユニット２をプレイジム１０の内側（矢印ｚ方向）に折り畳む。同時にヒンジ部７をプレイジム１０の内側方向に向けて折り畳む（図９）。
【００５２】
ヒンジ部５およびヒンジ部６の曲がり方向は、プレイジム１０の収納形態において脚部材同士が交差するように設けられており、プレイジム１０がよりコンパクトな収納形態となるように構成される。このとき脚部材９は、脚部材１１と脚部材１２と連結棒２３と連結棒２４とで構成される空間３５に挿通されて（図９点線Ａ）脚ユニット２がより深い角度まで折り畳み可能な構成とされる。一方、脚部材１１は脚部材８と脚部材９との間隙に格納されるが、このとき脚部材１１を、連結棒１７と連結棒１８とで構成されるＶ字状の空間３６に配置するように構成することにより、（図９点線Ｂ）、脚ユニット２および脚ユニット３がより深い角度まで折り畳み可能な構成とされる。
【００５３】
図１０にプレイジムの収納形態における下面図を示す。すなわち、図１０に示すように脚部材９は、脚部材１１および脚部材１２との間隙に格納され、また、脚部材１１は、脚部材８と脚部材９との間隙に格納されて、脚部材が交互に折り畳まれた状態で収納される。
【００５４】
図１１にプレイジムの収納形態における斜視図を示す。プレイジム１０は、図１１に示すように非常にコンパクトな収納形態とすることが可能である。
【００５５】
このように脚部材８、脚部材９、脚部材１１、脚部材１２を交互に収納する構成とすることにより、プレイジム１０をコンパクトな収納形態にすることが可能である。
【００５６】
上記構成のようなプレイジム１０は、脚部材８と脚部材９とを曲げ可能なジョイント部１９を設けた連結棒１７および連結棒１８により連結し、また脚ユニット２と水平部材１とをプレイジム１０の内側方向に曲げ可能なヘッダー部６により連結する構成としたので、脚ユニット２の脚幅を幅狭にして収納することが可能であるため、従来のプレイジムに比較して非常にコンパクトに収納することが可能である。また、プレイジムを収納する際にその都度構成部品を分解する必要がなく、煩雑な分解作業や組立作業をすることなく、プレイジム１０を使用することが可能である。
【００５７】
また、連結棒１７と連結棒１８のジョイント部１９は、連結棒１７と連結棒１８のロック機構として機能するため、プレイジムの使用時に脚部材を安定的に保持し、脚ユニット２の安定性を向上するため、安全性の高いプレイジムを提供することが可能である。
【００５８】
さらに、プレイジム１０は、脚部材８、脚部材９、脚部材１１、脚部材１２を交互に折り畳む構成としたので、非常にコンパクトな収納形態とすることが可能である。
【００５９】
また、このプレイジム１０は、収納形態においても高い安定性を有しており、従来のプレイジムの収納形態における不安定さが効果的に改善されており、安全性に優れている。
【００６０】
さらに、プレイジム１０は、コンパクトな収納形態とすることが可能であるため、収納時に構成部品を分解する必要がなく、持ち運びにも適しており、育児器具としての利用価値を向上することが可能である。
【００６１】
また、本発明のプレイジムは、例えば、図１２の正面図および図１３の斜視図に示す第２実施形態のプレイジム４０のように、水平部材１のフック部１ａに吊り下げる玩具を回転式マスコット４１とするように構成しても良い。回転式マスコット４０は水平部材１のフック１ａに吊下げられる軸部４２と、この軸部４２に回転自在に接続される複数のアーム部４３とで構成され、このアーム部４３に玩具１ｂが吊下げられる。
【００６２】
このように本発明のプレイジムは、乳幼児の成長や育児目的に応じて構成を変化させて使用することが可能である。なお、プレイジム４０においてプレイジム１０と同一の構成については、同一符号を付して説明を省略する。
【００６３】
【発明の効果】
以上説明のように、本発明に係るプレイジムによれば、脚ユニットに設けた折り畳み機構により収納する際の省スペースが図れ、また、収納形態においても安定性に優れ、安全性の高いプレイジムを提供することが可能である。
【図面の簡単な説明】
【図１】本発明に係るプレイジムの正面図。
【図２】水平部材の正面図。
【図３】脚ユニットの正面図。
【図４】脚ユニットの正面図。
【図５】マスコットの一例を示す表面側斜視図。
【図６】マスコットの一例を示す裏面側斜視図。
【図７】本発明に係るプレイジムの斜視図。
【図８】プレイジムを収納形態とする動作（脚部材の折り畳み）を説明する斜視図。
【図９】プレイジムを収納形態とする動作（ヒンジ部の折り畳み）を説明する斜視図。
【図１０】プレイジムの収納形態における下面図。
【図１１】プレイジムの収納形態の斜視図。
【図１２】プレイジムの第２実施形態を示す正面図。
【図１３】プレイジムの第２実施形態を示す斜視図。
【符号の説明】
１  水平部材
２  脚ユニット
３  脚ユニット
４  ヒンジ部
５  ヒンジ部
６  ヘッダー部
７  ヘッダー部
８  脚部材
９  脚部材
１０  プレイジム
１１  脚部材
１２  脚部材
１３  キャップ
１５  連結部
１６  連結部
１７  連結棒
１８  連結棒
１９  ジョイント部
１９ａ  凹部
１９ｂ  空間
２１  連結部
２２  連結部
２３  連結棒
２４  連結棒
２５  ジョイント部
２５ａ  凹部
２５ｂ  空間
３０  マスコット
３１  ホルダー
３２  リング
３３  フック
４０  プレイジム
４１  回転式マスコット
４２  軸部
４３  アーム部
【図１】
2004236768.tif 000003
【図２】
2004236768.tif 000004
【図３】
2004236768.tif 000005
【図４】
2004236768.tif 000006
【図５】
2004236768.tif 000007
【図６】
2004236768.tif 000008
【図７】
2004236768.tif 000009
【図８】
2004236768.tif 000010
【図９】
2004236768.tif 000011
【図１０】
2004236768.tif 000012
【図１１】
2004236768.tif 000013
【図１２】
2004236768.tif 000014
【図１３】
2004236768.tif 000015